(57)【要約】【課題】端子収容室に対し端子金具が不正な姿勢で挿入されるのを防止する。【解決手段】コネクタは、端子収容室１３が形成されたハウジング１０と、ハウジング１０の後方から端子収容室１３に挿入される端子金具３０と、端子金具３０の外周面から突出した形態のスタビライザ３５と、端子収容室１３の内壁部に形成された干渉部１９とを備え、端子金具３０が不正な姿勢で端子収容室１３に挿入されたときに、スタビライザ３５が干渉部１９に当接することで端子金具３０がスタビライザ３５の突出方向と交差する方向へ押圧される。【選択図】図６
2019133759.tif 000002
【特許請求の範囲】
【請求項１】
端子収容室が形成されたハウジングと、
前記ハウジングの後方から前記端子収容室に挿入される端子金具と、
前記端子金具の外周面から突出した形態のスタビライザと、
前記端子収容室の内壁部に形成された干渉部とを備え、
前記端子金具が不正な姿勢で前記端子収容室に挿入されたときに、前記スタビライザが前記干渉部に当接することで前記端子金具が前記スタビライザの突出方向と交差する方向へ押圧されることを特徴とするコネクタ。
【請求項２】
前記スタビライザが前記端子金具の前端近傍位置に配されていることを特徴とする請求項１記載のコネクタ。
【請求項３】
前記端子金具には、前記端子金具の前端部に形成された角筒状の端子本体部と、前記端子金具の後端部に形成されて電線に圧着される圧着部とを連結し、前記端子本体部よりも幅広の連結部が形成され、
前記端子収容室の内壁部には、前記連結部との干渉を回避するための逃がし凹部が形成され、
前記干渉部が前記逃がし凹部に形成されていることを特徴とする請求項１又は請求項２記載のコネクタ。
【発明の詳細な説明】
【技術分野】
【０００１】
本発明は、コネクタに関するものである。
【背景技術】
【０００２】
特許文献１には、外周に板状に突出するスタビライザが形成された端子金具が開示されている。この端子金具は、コネクタハウジングに形成した端子収容室内に挿入されるようになっている。端子収容室には、端子金具が適正な規制で挿入されたときにスタビライザを収容するガイド溝が形成されている。端子金具が上下反転又は左右反転した不正な姿勢で端子収容室に挿入されたときには、挿入の過程でスタビライザが端子収容室の開口縁と干渉するので、端子金具の挿入が規制される。即ち、スタビライザは、端子収容室に対する端子金具の挿入姿勢が適正であるか否かを検知する機能を有している。
【先行技術文献】
【特許文献】
【０００３】
【特許文献１】特開２０１６−０６２８０７号公報
【発明の概要】
【発明が解決しようとする課題】
【０００４】
端子金具に形成されるスタビライザとしては、端子金具の外周から板状に突出した形態のものの他に、端子金具の外周壁部を叩き出した形態のものもある。叩き出しによって形成されたスタビライザは、突出寸法が比較的小さい。そのため、端子金具の外周面と端子収容室の内壁面との間のクリアランスが大きい場合は、端子金具が反転した不正な姿勢で端子収容室に挿入しようとしたときに、スタビライザが端子収容室の開口縁と干渉せず、端子金具が不正な姿勢のまま端子収容室に挿入されてしまう虞がある。
【０００５】
本発明は上記のような事情に基づいて完成されたものであって、端子収容室に対し端子金具が不正な姿勢で挿入されるのを防止することを目的とする。
【課題を解決するための手段】
【０００６】
本発明は、
端子収容室が形成されたハウジングと、
前記ハウジングの後方から前記端子収容室に挿入される端子金具と、
前記端子金具の外周面から突出した形態のスタビライザと、
前記端子収容室の内壁部に形成された干渉部とを備え、
前記端子金具が不正な姿勢で前記端子収容室に挿入されたときに、前記スタビライザが前記干渉部に当接することで前記端子金具が前記スタビライザの突出方向と交差する方向へ押圧されることを特徴とする。
【発明の効果】
【０００７】
この構成によれば、端子金具が不正な姿勢で端子収容室に挿入されたときに、スタビライザと干渉部との干渉によって端子金具が変位するので、ハウジングに対する端子金具の干渉度合いが大きくなる。これにより、端子金具が不正な姿勢で端子金具に挿入されることを確実に防止できる。
【図面の簡単な説明】
【０００８】
【図１】実施例１のコネクタの側断面図
【図２】ハウジングの背面図
【図３】端子収容室を拡大してあらわした背面図
【図４】端子金具が適正な姿勢で端子収容室に挿入され、スタビライザが位置決め溝に収容されている状態をあらわす背面図
【図５】端子金具が適正な姿勢で端子収容室に挿入され、連結部が逃がし凹部に収容されている状態をあらわす背面図
【図６】端子金具が反転した不正な姿勢で端子収容室に挿入され始め、スタビライザが干渉部と干渉した状態をあらわす背面図
【図７】端子金具の斜視図
【図８】端子金具の正面図
【図９】端子金具の平面図
【発明を実施するための形態】
【０００９】
本発明は、前記スタビライザが前記端子金具の前端近傍位置に配されていてもよい。この構成によれば、端子金具の挿入過程において早期のうちに、端子金具が不正な姿勢であるか否かを検知することができる。
【００１０】
本発明は、前記端子金具には、前記端子金具の前端部に形成された角筒状の端子本体部と、前記端子金具の後端部に形成されて電線に圧着される圧着部とを連結し、前記端子本体部よりも幅広の連結部が形成され、前記端子収容室の内壁部には、前記連結部との干渉を回避するための逃がし凹部が形成され、前記干渉部が前記逃がし凹部に形成されていてもよい。この構成によれば、干渉部を逃がし凹部とは別の部位に形成する場合と比べると、端子収容室の内壁部の形状を簡素化することができる。
【００１１】
＜実施例１＞
以下、本発明を具体化した実施例１を図１〜図９を参照して説明する。尚、以下の説明において、前後の方向については、図１における左方を前方と定義する。上下の方向については、図１〜６にあらわれる向きを、そのまま上方、下方と定義する。左右の方向については、図２〜６（ハウジング１０の背面図）にあらわれる向きを、そのまま左方、右方と定義する。
【００１２】
＜コネクタ＞
本実施例１のコネクタは、ハウジング１０と複数の端子金具３０とを備えて構成され、防水機能を有している。端子金具３０は後方からハウジング１０内に取り付けられるようになっている。コネクタは、端子金具３０が上下反転した不正な姿勢でハウジング１０に取り付けられようとした場合に、不正な姿勢であることを検知する機能も兼ね備えている。
【００１３】
＜ハウジング１０＞
ハウジング１０は、合成樹脂製のハウジング本体１１と、ハウジング本体１１の前端部に取り付けた合成樹脂製のフロント部材１２とを備えて構成されている。ハウジング１０内には、前後方向に細長く、ハウジング１０の前端から後端へ貫通した形態の複数の端子収容室１３が形成されている。図１に示すように、端子収容室１３は、保持空間１４とガイド空間２１とシール空間２２とから構成されている。
【００１４】
保持空間１４は、端子収容室１３の前端部を構成し、全体として前後方向に細長い空間である。保持空間１４の断面形状は概ね方形である。尚、以下の説明において、断面形状は、端子収容室１３に対する端子金具３０の挿入方向と平行な前後方向と直角に切断した形状である。保持空間１４の前端はハウジング１０の前端面に開口し、保持空間１４の後端は端子進入口１５となっている。
【００１５】
図１に示すように、保持空間１４の前端に近い位置には、保持空間１４の下面壁に沿って前方へ片持ち状に延出した形態のランス１６が形成されている。保持空間１４の下面壁には、前後方向（端子収容室１３に対する端子金具３０の挿入方向と平行な方向）に延びるガイド溝１７が形成されている。ガイド溝１７は、保持空間１４の後端（端子進入口１５）からランス１６に至る領域に亘って連続して形成されている。
【００１６】
保持空間１４の後端側領域（保持空間１４の前後方向における中央よりも後方の領域）には、右側面壁を浅く凹ませた形態の逃がし凹部１８が形成されている。逃がし凹部１８の上下方向における形成領域は、右側面壁の上端側領域、詳細には、右側面壁の上下方向中央より少し下方の位置から、右側面壁の上端に至る範囲である。逃がし凹部１８の側面視形状は、前後方向に長い方形である。逃がし凹部１８の後端は、保持空間１４の後端の端子進入口１５に開口している。
【００１７】
図３〜６に示すように、右側面壁のうち逃がし凹部１８の下端縁に沿った領域は、背面視形状が段差状をなすように形成された干渉部１９となっている。保持空間１４の略後半領域の幅寸法は、逃がし凹部１８が形成されている領域（干渉部１９より上方の領域）の方が、逃がし凹部１８の形成されていない領域（干渉部１９より下方の領域）より大きい。逃がし凹部１８には、後述する端子金具３０の連結部４０を構成する左右一対の板状側部４２のうち一方の板状側部４２が収容されるようになっている。
【００１８】
保持空間１４の左側面壁（端子収容室１３に対する端子金具３０の挿入方向と直交する左右方向に関して右側面壁と反対側の側面壁）には、前後方向に延びる位置決め溝２０が形成されている。位置決め溝２０は、保持空間１４の前端から後端に亘って連続して形成されている。位置決め溝２０には、端子金具３０のスタビライザ３５が収容されるようになっている。
【００１９】
ガイド空間２１は保持空間１４の後方に配され、保持空間１４の後端（端子進入口１５）と連通している。ガイド空間２１の断面形状は概ね円形である。ガイド空間２１の内周面は、前方（保持空間１４側）に向かって断面積が次第に小さくなるようなテーパ状をなしている。シール空間２２は、ガイド空間２１の後方に配され、シール空間２２はガイド空間２１の後端と連通している。シール空間２２は端子収容室１３の後端側領域を構成する。シール空間２２の断面形状は円形である。
【００２０】
＜端子金具３０＞
図７〜９に示すように、端子金具３０は、角筒状の端子本体部３１と、電線４６とゴム栓４９が一緒に圧着される圧着部４３と、端子本体部３１の後端と圧着部４３の前端とを繋ぐ連結部４０とを有する単一部材である。端子本体部３１は端子金具３０の前端部に配され、圧着部４３は端子金具３０の後端部に配されている。
【００２１】
端子本体部３１は、基板部３２と、左右両側板部３３と、天板部３４とにより角筒状をなしている。左右両側板部３３のうち一方（端子金具３０を正面視において基板部３２が下側に位置する向きにしたときの左側）の側板部３３には、突起状のスタビライザ３５が形成されている。スタビライザ３５は、端子本体部３１（端子金具３０）の前端に近い位置に配されている。基板部３２が下側に位置する向きにおいて、スタビライザ３５は側板部３３の上下方向における略中央位置に配されている。
【００２２】
天板部３４には、係止孔３６と、係止突起３７と、ガイド突起３８が形成されている。係止孔３６は、天板部３４の一部を切欠した形態である。係止突起３７は、天板部３４のうち係止孔３６の前端縁部を叩き出し加工により外面側へ膨出させた形態である。ガイド突起３８は、係止孔３６の後方（天板部３４）の後端部を叩き出し加工により外面側へ膨出させた形態である。
【００２３】
連結部４０は、板状基部４１と、板状基部４１の左右両端縁から周方向へ片持ち状に延出した形態の左右一対の板状側部４２とを備えて構成されている。連結部４０の板状基部４１の前端は、端子本体部３１の基板部３２の後端に直接的に連なっている。左右両板状側部４２の前端は、端子本体部３１の左右両側板部３３の後端に直接的に連なっている。
【００２４】
端子金具３０の正面視において、左右両板状側部４２の周方向の延出端部は、端子本体部３１の左右両側板部３３の外側面よりも外方へ突出している。連結部４０の最大幅寸法（左右両板状側部４２の側端間の寸法）は、端子本体部３１の幅寸法（左右両側板部３３の外側面間の寸法）より大きい。
【００２５】
圧着部４３はオープンバレル状をなす。圧着部４３は、連結部４０の後端に直接的に連なるワイヤバレル部４４とワイヤバレル部４４の後端に連なるインシュレーションバレル部４５とから構成されている。ワイヤバレル部４４には、電線４６の露出させた芯線４７が圧着により導通可能に固着されている。インシュレーションバレル部４５には、電線４６のうち絶縁被覆４８で包囲された部分と、電線４６に外嵌したゴム栓４９の前端部とが、一括して圧着により固着されている。
【００２６】
＜実施例の作用及び効果＞
端子金具３０はハウジング１０の後方から端子収容室１３内に挿入される。端子金具３０がハウジング１０に対して上下左右の向きが適正な姿勢であるときには、図７，８に示す向きとは上下反転した向きとなる。端子金具３０が適正な姿勢で挿入される過程では、端子本体部３１が保持空間１４に進入し始めると、図４，５に示すように、スタビライザ３５が位置決め溝２０に収容されるとともに、係止突起３７とガイド突起３８がガイド溝１７内に収容される。また、挿入過程ではランス１６が端子本体部３１と干渉して下方へ弾性撓みする。
【００２７】
端子金具３０が正規の位置まで挿入されると、端子本体部３１と連結部４０が保持空間１４内に収容される。そして、ランス１６が弾性復帰して係止孔３６と係止突起３７に対し後方から係止することにより、端子金具３０が抜止めされる。端子金具３０が正規挿入された状態では、連結部４０の板状側部４２における周方向への延出端部（即ち、板状側部４２のうち端子本体部３１より側方へ突出した部分）が、逃がし凹部１８と位置決め溝２０内に収容される。また、シール空間２２内には圧着部４３が収容され、ゴム栓４９の外周がシール空間２２の内周面に密着することで、電線４６の外周と端子収容室１３の内周との間が液密状にシールされる。
【００２８】
端子金具３０が上下反転（左右反転）した不正となる姿勢で端子収容室１３に挿入された場合は、図６に示すように、背面視において、スタビライザ３５が逃がし凹部１８と対応するような位置になるとともに、係止突起３７がガイド溝１７とは上下反対側に位置する。逃がし凹部１８の幅寸法（凹み寸法）はスタビライザ３５の突出寸法に比べて充分に小さいので、スタビライザ３５は逃がし凹部１８に進入することができず、ガイド空間２１の内周面（端子進入口１５の開口縁部）に突き当たる。
【００２９】
スタビライザ３５がガイド空間２１の内周面に突き当たるのとほぼ同じタイミングで、係止突起３７も、ガイド空間２１の内周面（端子進入口１５の開口縁部）に突き当たる。このスタビライザ３５と係止突起３７の突き当たりにより、端子金具３０のそれ以上の保持空間１４への挿入が規制されるので、このことをもって、端子金具３０が不正な姿勢であることを検知できるとともに、端子金具３０が不正な姿勢で端子収容室１３に挿入されることを防止できる。
【００３０】
また、端子金具３０が不正な姿勢で端子収容室１３に挿入されて、端子本体部３１が保持空間１４内に進入し始めたときには、スタビライザ３５が、位置決め凹部の干渉部１９の後端に当接する。干渉部１９と干渉したスタビライザ３５は、干渉部１９から図６における斜め左上向きの反力を受けるため、端子本体部３１（端子金具３０）の前端部が、保持空間１４の上面壁と左側面壁（位置決め溝２０が形成されている側面壁）に押し付けられる。これにより、天板部３４と上面壁との間の隙間がなくなるので、端子本体部３１の上下寸法と端子本体部３１の上下寸法の寸法差（公差）が大きい場合でも、係止突起３７が端子進入口１５の開口縁部に確実に突き当たる。
【００３１】
上述のように本実施例１のコネクタは、端子収容室１３が形成されたハウジング１０と、ハウジング１０の後方から端子収容室１３に挿入される端子金具３０と、端子金具３０の外周面から突出した形態のスタビライザ３５と、端子収容室１３の内壁部に形成された干渉部１９とを備えている。端子金具３０が不正な姿勢で端子収容室１３に挿入されたときには、スタビライザ３５が干渉部１９に当接することで、端子金具３０がスタビライザ３５の突出方向と交差する方向（図６における上方又は斜め左上方）へ押圧されるようになっている。これにより、ハウジング１０に対する端子金具３０の干渉度合いが大きくなるので、端子金具３０が不正な姿勢で端子収容室１３に挿入されることを確実に防止できる。
【００３２】
また、スタビライザ３５が端子金具３０の前端近傍位置に配されているので、端子金具３０の挿入過程において比較的早期のうちに、端子金具３０が不正な姿勢であるか否かを検知することができる。
【００３３】
また、端子金具３０には、端子金具３０の前端部に形成された角筒状の端子本体部３１と、端子金具３０の後端部に形成されて電線４６に圧着される圧着部４３とを連結する連結部４０が形成されている。この連結部４０は、端子本体部３１よりも幅広となっている。一方、端子収容室１３の内壁部には、連結部４０との干渉を回避するための逃がし凹部１８が形成されている。そして、干渉部１９は逃がし凹部１８に形成されている。この構成によれば、干渉部１９を逃がし凹部１８とは別の部位に形成する場合に比べると、端子収容室１３の内壁部の形状を簡素化することができる。
【００３４】
＜他の実施例＞
本発明は上記記述及び図面によって説明した実施例１に限定されるものではなく、例えば次のような実施例も本発明の技術的範囲に含まれる。
（１）上記実施例では、干渉部を逃がし凹部に形成したが、干渉部は逃がし凹部とは別の部位に形成してもよい。
（２）上記実施例では、端子収容室に連結部との干渉を回避するための逃がし凹部を形成したが、本発明は、端子収容室に逃がし凹部が形成されていないコネクタにも適用できる。
（３）上記実施例では、端子本体部と圧着部との間の連結部が端子本体部よりも幅広であるが、本発明は、連結部の幅寸法が端子本体部と同じ寸法、又は端子本体部より小さい寸法である場合にも適用できる。
（４）上記実施例では、スタビライザを端子金具の前端近傍位置に配したが、スタビライザは、端子本体部の前後方向における中央部や、端子本体部の後端部に配されてもよい。
（５）上記実施例では、端子収容室の保持空間の後方にガイド空間が隣接して連なっているが、本発明は、保持空間の後方にガイド空間を形成しないコネクタにも適用できる。
（６）上記実施例では、防水タイプのコネクタについて説明したが、本発明は非防水タイプのコネクタにも適用できる。
【符号の説明】
【００３５】
１０…ハウジング
１３…端子収容室
１８…逃がし凹部
１９…干渉部
３０…端子金具
３１…端子本体部
３５…スタビライザ
４０…連結部
４３…圧着部
４６…電線
【図１】
2019133759.tif 000003
【図２】
2019133759.tif 000004
【図３】
2019133759.tif 000005
【図４】
2019133759.tif 000006
【図５】
2019133759.tif 000007
【図６】
2019133759.tif 000008
【図７】
2019133759.tif 000009
【図８】
2019133759.tif 000010
【図９】
2019133759.tif 000011